(57)【要約】      （修正有）【課題】冷凍機（圧縮機）を装備した遠心分離機において、遠心分離機を運転する際、冷凍機の圧縮機をオンできない時間、圧縮機をオフするまでの時間を自由に設定できる遠心分離機を提供する。【解決手段】駆動部４と該駆動部によって回転駆動されるロータ３と、該ロータを収容する回転室５と、該回転室を開閉するドア７と、該回転室および該ロータを冷却するための冷却部９と、駆動部と冷却部を制御するための制御部６と、運転条件の設定や遠心分離機１０を運転するためのスイッチを備えた操作部２と、運転条件や運転状態を表示するための表示部１を有する遠心分離機において、冷却部内の冷凍機を動作禁止状態であることを前記表示部に表示する手段を設ける。又は、ドアが開いてから冷却部内の冷凍機を停止させるまでの時間を設定することのできる機能を有する。【選択図】図３
2009082836.tif 000002
【特許請求の範囲】
【請求項１】
駆動部と該駆動部によって回転駆動されるロータと、該ロータを収容する回転室と、該回転室を開閉するドアと、該回転室および該ロータを冷却するための冷却部と、前記駆動部と前記冷却部を制御するための制御部と、運転条件の設定や遠心分離機を運転するためのスイッチを備えた操作部と、運転条件や運転状態を表示するための表示部を有する遠心分離機において、
前記冷却部内の冷凍機を動作禁止状態であることを前記表示部に表示することを特徴とする遠心分離機。
【請求項２】
駆動部と該駆動部によって回転駆動されるロータと、該ロータを収容する回転室と、該回転室を開閉するドアと、該回転室および該ロータを冷却するための冷却部と、前記駆動部と前記冷却部を制御するための制御部と、運転条件の設定や遠心分離機を運転するためのスイッチを備えた操作部と、運転条件や運転状態を表示するための表示部を有する遠心分離機において、
前記操作部によって、前記ドアが開いてから前記冷却部内の冷凍機を停止させるまでの時間をすることのできる機能を設けたことを特徴とする遠心分離機。
【発明の詳細な説明】
【技術分野】
【０００１】
本発明は、試料が挿入されたロータを回転させることによって試料を遠心分離するための冷凍機を装備した遠心分離機に関するものである。
【背景技術】
【０００２】
従来の遠心分離機について、図３、４を用いて説明する。この種の遠心分離機１０においては、分離するサンプル（試料）に合わせて使用者が回転速度、運転時間（分離時間）、温度（設定温度）、加速勾配、減速勾配等の運転条件を操作部２から入力設定する。
【０００３】
そして、サンプルが挿入されたロータ３を回転室５内に突出している駆動部４によって、回転駆動される駆動軸４ａにセットし、ドア７を閉めて操作部２のスタートスイッチを押すことによってロータが回転駆動される。
【０００４】
ロータ３が操作部２で設定された回転速度まで加速され整定し、設定された運転時間が経過するとロータ３の回転が自動的に減速され停止し、ドア７を開けて分離されたサンプルをロータ３から取り出す。ドア７を閉めてから操作部２のスタートスイッチを押して加速・整定・減速・停止後、ドア開するまでの間は、ロータ３内のサンプル温度が操作部２で設定された温度に保持できるように冷凍機を用いて温度制御を行っている。
【０００５】
冷凍機は安価で制御方法も簡単な冷媒をコンプレッサ(圧縮機２０)を用いて循環させるタイプが遠心分離機１０には一般的に使用されている。圧縮機２０をオン／オフしてロータ３内のサンプル温度が設定温度になるように温度制御（オン／オフ制御）を行っている。しかしながら圧縮機のオン／オフは、オフからオンの切り替わり時間の間隔が短いと圧縮機を駆動するためのモータの起動不良が発生し正確な温度制御ができなくなってしまうため、一度圧縮機をオフしたらコンプレッサの吐出側と吸入側の圧力が十分小さくなるまで、１〜３分程度の圧縮機２０のオン（運転）を禁止する時間を設ける必要がある。よって、圧縮機２０のオン禁止時間（運転禁止時間）が設定されている時に、ロータの回転駆動を開始しても禁止時間が経過するまで圧縮機２０をオン（運転）することができないようになっている。
【０００６】
また、オン／オフ制御より正確にロータ内のサンプル温度を設定温度に制御できるようにするため冷媒経路の途中に経路切換バルブ２２を設け、圧縮機を常時オン（運転）状態として切換バルブ２２を制御（バルブ制御）することで、回転室５外側外周に巻かれている冷媒通路２６に冷媒を供給したり、供給をやめたりすることで、ロータの温度制御をする方法もある。
【０００７】
【特許文献１】特開平７−１１０１６６
【発明の開示】
【発明が解決しようとする課題】
【０００８】
上記従来の遠心分離機１０の圧縮機２０のオン／オフ制御において、遠心分離機が停止中でドア７が開いている場合は、回転室内のロータ３又は、ロータ３内にセットされていたサンプルが取り出されている場合もあり回転室５内のロータ内のサンプルを冷却する必要がないため、温度制御は停止状態となり圧縮機をオフとし、圧縮機オン禁止時間が設定される。
【０００９】
また、常時冷凍機の圧縮機２０をオン状態を維持したまま、切換バルブ２２で冷媒経路の切換制御を行うことで、回転室５内を冷却するバルブ制御においても、停止中でドアを開けた状態は、回転室のロータ内のサンプルを冷却する必要がないため切換バルブをオフとしロータ室外側外周に巻かれている冷媒通路２６に冷媒の供給を辞めるようにしている。
【００１０】
しかし、圧縮機２０の動作音がうるさく、また、圧縮機２０をオン状態のままにしておくのは不経済でもあり、予め決められた時間ドアが開いた状態が続いた場合は、遠心分離機１０を連続して使用しないと判断して圧縮機２０をオフするようにしている。この時も、圧縮機オン禁止時間が設定される。
【００１１】
圧縮機２０がオフとなり圧縮機オン禁止時間が設定されている時に、予め冷蔵庫等で予冷されたサンプルをロータ３にセットし遠心分離機１０を高速回転で短時間運転する場合、直ぐに圧縮機２０をオンすることができないため、ロータの回転による風損とロータを回転駆動する駆動部４の発熱によりロータ３内のサンプル温度が上昇し、サンプルが駄目になってしまったり、正確な遠心分離を行うことができなくなる。
【００１２】
また、バルブ制御において、停止中のドア開状態で予め決められた時間遠心分離機を使用しなかった場合、圧縮機２０をオフするようになっており、この圧縮機２０のオフされるタイミングのサイクルで遠心分離機を運転する場合は、圧縮機オン禁止時間が設定されているため圧縮機２０が直ぐにオンすることができないので、上記と同様にサンプル温度が上昇することになる。
【課題を解決するための手段】
【００１３】
上記目的を達成するためには、駆動部と該駆動部によって回転駆動されるロータと、該ロータを収容する回転室と、該回転室を開閉するドアと、該回転室および該ロータを冷却するための冷却部と、前記駆動部と前記冷却部を制御するための制御部と、運転条件の設定や遠心分離機を運転するためのスイッチを備えた操作部と、運転条件や運転状態を表示するための表示部を有する遠心分離機において、前記冷却部内の冷凍機を動作禁止状態であることを前記表示部に表示することで、達成することができる。
【００１４】
さらに、駆動部と該駆動部によって回転駆動されるロータと、該ロータを収容する回転室と、該回転室を開閉するドアと、該回転室および該ロータを冷却するための冷却部と、前記駆動部と前記冷却部を制御するための制御部と、運転条件の設定や遠心分離機を運転するためのスイッチを備えた操作部と、運転条件や運転状態を表示するための表示部を有する遠心分離機において、前記操作部によって、前記ドアが開いてから前記冷却部内の冷凍機を停止させるまでの時間を設定することのできる機能を設けたことにより、達成される。
【００１５】
よって、冷凍機（圧縮機）を装備した遠心分離機において、遠心分離機を運転する際、冷凍機の圧縮機をオンできない状態を使用者に通知する手段。または、遠心分離機が停止でドア開と判断してから冷凍機の圧縮機をオフするまでの時間を使用目的に応じて適宜自由に設定できる手段を備えることにある。
【発明の効果】
【００１６】
本発明によると、遠心分離機を運転する際、直ぐに回転室５内を冷却することができる状態から遠心分離することができ、ロータ内のサンプルを常に適正な温度で遠心分離することのできる遠心分離機を提供できる。
【発明を実施するための最良の形態】
【００１７】
本発明となる一実施例について添付図を参照しながら説明する。
先ず、本発明に係る第一の実施例の遠心分離機の基本構成を図１乃至図４に基づいて説明する。
図１は遠心分離機の全体図で、図２は遠心分離機の透視図で、図３は遠心分離機の概略図で、図４は第二の実施例の前記冷却部９のバルブ制御用の概略図である。
【００１８】
図１乃至図３に図示の遠心分離機１０の筐体８上部には表示部１と操作部２が設けられており、筐体の内部にはボウル３０で形成される回転室５と制御部６及び冷却部９が収容されている。 
上記回転室５を形成するボウル３０の外周には回転室５内を冷却し、ロータ３内サンプルを設定温度に維持するために冷媒を循環させるための冷媒経路２６が巻かれている。さらに、冷却効率向上のため冷媒経路２６の外周には、不図示の断熱材が設けられている。さらに回転室５は、その上面開口部がドア７によって開閉され、回転室５の内部には遠心分離するサンプルを収納できる回転可能なロータ３が収納され、また、回転室５内の温度を測定するための温度センサ１１がある。
【００１９】
尚、温度センサ１１はロータ３内に収納されているサンプル温度と同じ温度を検出できるように調整されている。また、ドア７を開けた場合は不図示のドアスプリングで常時開き側に付勢されている。
【００２０】
ロータ３は、駆動部４によって駆動され、この駆動部４は前記制御部６によってその駆動が制御される。
【００２１】
前記制御部６がドア開閉検出センサ１２でドア７が閉じたと判断したら制御部６は前記操作部２で設定された温度（設定温度）になるように温度センサ１１をもちいて温度を検出し、検出した温度が設定温度より高い場合は冷却部９に対し回転室５を冷却するよう圧縮機２０を制御し、設定温度より温度センサの温度が低い場合は冷却部９に対し回転室５の冷却をしないように圧縮機２０を制御する。
図５と図６は、遠心分離機の表示部１の画面で、多種の機能を付加させるためにより多くの情報を表示することのできるＬＣＤ（液晶ディスプレイ）を用いた例で説明する。
図５は、遠心分離機１０の運転状態と運転条件を表示する通常の基本画面１００を示しており、基本画面１００の温度表示部１０１は上段がサンプル温度表示部１０２で下段が設定温度表示部１０３である。
【００２２】
図４は、圧縮機２０のオン禁止時間（運転禁止時間）がセットされ、この期間に遠心分離機を運転するとサンプル温度が上昇することを通知するための基本画面１２０で、圧縮機オン禁止時間が経過するまで、サンプル温度表示部１２１に「Disable」と表示し点滅させる。また、サンプル温度表示部１２１に「Disable」と表示し基本画面１２０全体を点滅させることで離れた場所からでも確認できる方法もある。圧縮機オン禁止時間が経過した場合は、図４の基本画面１２０の点滅を終了し通常の基本画面１００の表示状態に戻す。
【００２３】
前記制御部６は、圧縮機オン禁止時間を管理し、圧縮機オン禁止時間がセットされているときは禁止時間のカウントダウンを行う。
上記実施例の遠心分離機１０の圧縮機２０の制御方法はオン／オフ制御の場合について説明したが、後述するバルブ制御に適用しても同様の効果が得られることは言うまでもない。
【００２４】
次に、第二の実施例として、図４を用いて説明する。遠心分離機の基本的な構造は第一の実施例と同じであるため、異なる部分のみを説明する。前記冷却部９のバルブ制御用の概略図で、バルブ制御は、前記制御部６が図３のドア開閉検出センサ１２でドア７が閉じたと判断したら制御部６は圧縮機２０をオンの状態のままにし、制御部６から冷却する信号がある場合はバルブ２２をオンし、冷媒を冷媒経路２５を経由して、冷媒経路２６に流れるように、ロータ室内５を冷却するようにする。
【００２５】
また、冷却を止める信号の場合はバルブ２２をオフし、冷媒を冷媒経路２４から冷媒経路２８を経由して圧縮機２０に戻すようにして、冷媒を冷媒経路２６に流れないようにし、回転室内５を冷却しないようにする。
【００２６】
遠心分離機の運転が終了し、ロータ３内のサンプルを取り出すためドア７を開けた時、前記制御部６が前記ドア開閉検出センサ１２でドア７開と判断したら回転室５の冷却を止める制御信号が出力され、冷却部９は切換バルブ２２をオフする（この時点では圧縮機２０はオン状態のまま）。
【００２７】
さらにドア７が開いた状態が一定の時間（約１０分）経過した場合、遠心分離機１０を連続して使用しないと判断し前記圧縮機２０をオフし、圧縮機オン禁止時間がセットされる。
前記制御部６は、圧縮機オン禁止時間を管理し、圧縮機オン禁止時間がセットされているときは禁止時間のカウントダウンを行う。
【００２８】
図５は、遠心分離機の表示部の画面で、多種の機能を付加させるためにより多くの情報を表示することのできるＬＣＤ（液晶ディスプレイ）を用いた例で説明する。
【００２９】
例えば、ドア７を開いて、次の遠心分離するサンプルのセットに１０分かかる場合は、遠心分離機の回転駆動が開始されると同時に圧縮機２０がオフとなってしまうため、ロータ内のサンプルが温度上昇してしまい、サンプルが駄目になってしまうか、正確な遠心分離ができない。
【００３０】
そこで、図７に示すように、バルブ制御の場合で、遠心分離機が停止状態でドア閉からドア開と判断してから、圧縮機をオフするまでの時間をルーチンワークのタイミングに合わせて、設定時間を入力する設定画面１１０を示しており、設定ボックス１１１に分・秒で時間を入力する。例えば、次の遠心分離をスタートさせるまでの時間が１０分かかる場合は、冷凍機の圧縮機２０が停止するまでの時間を１５分と設定することで、遠心分離をスタートさせた直後から回転室５内を冷却することができるため、ロータの回転による風損によるロータの温度上昇等を抑えることができる。
【００３１】
また、ドア開状態でも常時圧縮機をオン状態のまま維持する場合は「０分０秒」を入力する。 
前記制御部６は、遠心分離機が停止状態でドア閉からドア開と判断した時タイマを動作させ、本タイマが設定画面１１０の設定ボックス１１１で入力された時間になったら、圧縮機２０をオフする。
設定ボックス１１１で、常時圧縮機オンの「０分０秒」が入力されている場合は、制御部６は圧縮機２０をオフさせないようにする。
第二に実施例の遠心分離機は、前記冷却部９のバルブ制御の場合について説明したが、圧縮機２０のオン／オフ制御の場合であっても同様の効果が得られることは言うまでもない。
以上のように、本第一の実施形態によれば、圧縮機をオンできる状態を表示部で判断することができることで、圧縮機をオンできる状態になってから遠心分離機を運転できるので、ロータ内のサンプルが正確な温度で制御可能となる。また、本第二の実施例では、遠心分離機が停止でドア開と判断し圧縮機をオフするまでの時間を自由に設定できることで、遠心機使用者の都合に合わせた圧縮機の動作が可能となり、遠心分離機の使い勝手がよくなる。
【図面の簡単な説明】
【００３２】
【図１】本発明に係わる遠心分離機の全体図
【図２】本発明に係わる遠心分離機の斜視透視図
【図３】本発明に係わる遠心分離機の断面図の一実施例である。
【図４】本発明に係わる第二の実施例の遠心分離機の冷却部の概略図の一実施例である。
【図５】本発明に係わる遠心分離機の運転状態と運転条件を表示する画面の一実施例である。
【図６】本発明に係わる遠心分離機の圧縮機オン禁止時間がセットされた場合の画面の一実施例である。
【図７】本発明に係わる第二の実施例の遠心分離機の停止中・ドア開状態での圧縮機オフ時間を入力する画面の一実施例である。
【符号の説明】
【００３３】
１は表示部、２は操作部、３はロータ、４は駆動部、５は回転室、６は制御部、７はドア、
８は遠心分離機の筐体、９は冷却部、１０は遠心分離機、１１は温度センサ、
１２はドア開閉検出センサ、２０は圧縮機、２１はラジエタ、２２は開閉機（バルブ）、
２３は冷媒経路、２４は冷媒経路、２５は冷媒経路、２６は冷媒経路、２７は冷媒経路、
３０はボウル、１００は遠心分離機の運転状態と運転条件を表示する画面、１０１は温度表示部、
１０２はサンプル温度表示部、１０３は設定温度表示部、１１０は設定画面、
１１１は時間設定ボックス、１２０は遠心分離機の運転状態と運転条件を表示する画面、
１２１はサンプル温度表示部 を示す。
【図１】
2009082836.tif 000003
【図２】
2009082836.tif 000004
【図３】
2009082836.tif 000005
【図４】
2009082836.tif 000006
【図５】
2009082836.tif 000007
【図６】
2009082836.tif 000008
【図７】
2009082836.tif 000009